(57)【要約】【課題】  この発明の課題は、例えば、店頭などでも簡単に、しかも、より客観的に、肌性格を診断できる肌性格の診断方法を提供することである。【解決手段】  上記課題を解決する肌性格の診断方法は、被検者にストレスを与えた状態で、前頭葉の左側および右側の血流量を測定するステップと、この測定結果に基づいた左右の血流量の大小に応じて、左脳タイプあるいは右脳タイプに分類するステップと、左脳タイプあるいは右脳タイプに応じて肌性格を特定するステップとからなる。【選択図】  図３
2006340763.tif 000002
【特許請求の範囲】
【請求項１】
被検者にストレスを与えた状態で、前頭葉の左側および右側の血流量を測定するステップと、この測定結果に基づいた左右の血流変化量の大小に応じて、左脳タイプあるいは右脳タイプに分類するステップと、左脳タイプあるいは右脳タイプに応じて肌性格を特定するステップとからなる肌性格の診断方法。
【請求項２】
上記脳タイプを分類するステップは、左脳タイプを情動性自律反応が小さいタイプとして分類し、右脳タイプを情動性自律反応が大きいタイプとして分類するステップである請求項1に記載の肌性格の診断方法。
【請求項３】
上記肌性格を特定するステップは、情動性自律反応が大きいタイプを皮脂量が多い肌性格と特定し、情動性自律反応が小さいタイプを皮脂量が少ない肌性格と特定する請求項２に記載の肌性格の診断方法。
【請求項４】
上記肌性格を特定するステップは、情動性自律反応が大きいタイプをニキビができ易い肌性格と特定し、情動性自律反応が小さいタイプをニキビができ難い肌性格と特定する請求項２に記載の肌性格の診断方法。
【発明の詳細な説明】
【技術分野】
【０００１】
この発明は、被検者の肌の特質である肌性格を診断する方法に関する。
【背景技術】
【０００２】
乾燥して小じわができたり、ニキビができたりするなどの、肌のトラブルがあるが、トラブルが起こりやすい肌のタイプがある。例えば、現時点では、ニキビなどできていなくても、ちょっとした環境の変化でニキビができてしまう人がいるが、同様の環境下にあっても、ニキビができない人もいる。
このように、現時点での肌状態とは別に、将来的に特定の肌状態になり易いタイプ、あるいは、肌の傾向があり、この肌傾向を、以下、「肌性格」ということにする。
上記のような肌のトラブルを防止するためには、自分の肌性格を知って、適切な手当てをすることが必要である。
【０００３】
例えば、ニキビができ易い肌性格の人は、現時点でニキビができていなくても、少しの環境の変化でニキビができ易いので、できていないときにも、そうでない人よりも、念入りに洗顔をするとか、脂肪の多い食品の摂取を控えるということによって、ニキビができるのを抑えることができるはずである。
また、乾燥しやすい肌の人は、保湿効果の高い化粧料を用いるようにしたり、乾燥しにくい肌に改善するための化粧料を用いたりするようにする必要がある。
【特許文献１】特開平８−１４９３５２号公報
【特許文献２】特開２００３−０２４２８３号公報
【発明の開示】
【発明が解決しようとする課題】
【０００４】
また、肌の状態は、心身の健康状態によっても影響されやすく、病気などをしてなくて、精神的にも安定している状態が肌にとっても良いということが分かっている。
そして、現代社会において、誰もが、実際に社会的ストレスを受ける機会は多く、そのことによって肌状態が悪くなることは予測できる。
しかし、ニキビがなく、皮膚の水分量も適当で、良い肌状態のときに、ニキビができ易いとか、乾燥肌になり易い肌性格であるということを診断することは難しい。
【０００５】
例えば、化粧品店の店頭で、販売員が顧客に各肌性格にあった商品を薦めようとした場合、現時点の皮膚の水分量を測定したり、ニキビの状態を観察したりして、肌状態を診断することができても、将来的になり易い状態を予測するためには、過去の肌状態や、そのときの環境についての質問など詳しい問診が必要であった。
あるいは、販売員が、その顧客の肌状態を長期にわたって観察し、その肌性格を特定しなければならい。この場合には、顧客の肌状態の履歴から、肌性格を特定できる経験や勘が必要で、誰でも肌性格を正確に診断できないという問題があった。
この発明の目的は、例えば、店頭などでも簡単に、しかも、より客観的に、肌性格を診断できる肌性格の診断方法を提供することである。
【課題を解決するための手段】
【０００６】
第1の発明は、被検者にストレスを与えた状態で、前頭葉の左側および右側の血流量を測定するステップと、この測定結果に基づいた左右の血流変化量の大小に応じて、左脳タイプあるいは右脳タイプに分類するステップと、左脳タイプあるいは右脳タイプに応じて肌性格を特定するステップとからなる点に特徴を有する。
なお、上記前頭葉の左脳および右脳とは、前頭葉における右側と左側とのことで、脳の全体を左右に分けたいわゆる、右脳、左脳ではない。
【０００７】
第２の発明は、上記第1の発明を前提とし、上記脳タイプを分類するステップは、左脳タイプを情動性自律反応が小さいタイプとして分類し、右脳タイプを情動性自律反応が大きいタイプとして分類する点に特徴を有する。
【０００８】
第３の発明は、上記第２の発明を前提とし、上記肌性格を特定するステップは、情動性自律反応が大きいタイプを皮脂量が多い肌性格と特定し、情動性自律反応が小さいタイプを皮脂量が少ない肌性格と特定する点に特徴を有する。
【０００９】
第４の発明は、上記第２の発明を前提とし、上記肌性格を特定するステップは、情動性自律反応が大きいタイプをニキビができ易い肌性格と特定し、情動性自律反応が小さいタイプをニキビができ難い肌性格と特定する点に特徴を有する。
【発明の効果】
【００１０】
第１〜第４の発明によれば、脳の血流を測定することによって、肌性格を特定することができる。診断時の肌状態に関わりなく、肌性格を脳の血流タイプを分類できるので、各脳タイプに対応した肌正確を特定できる。
つまり、その時点での肌状態が良くても、将来的にトラブルが起こり易い肌性格かどうかを診断できるため、肌トラブルに対する予防策を取ることができる。
【００１１】
また、第３、第４の発明によれば、肌の皮脂量が多い肌性格や、ニキビのでき易い肌性格を特定できる。
特に、第4の発明によれば、ニキビの主な原因となるが、その測定に時間が掛かる通常の皮脂量の測定とアクネ菌量の測定を行わなくても、ニキビができ易い肌性格を特定することができるようになる。
【発明を実施するための最良の形態】
【００１２】
図１〜図４を用いて、この発明の肌性格診断方法によって、ニキビができ易い肌性格かどうかを診断する例を説明する。
まず、肌性格を診断するために、被検者に、暗算をさせるなど、ストレスを与えて、その状態における前頭葉の血流を測定する。この測定結果から、前頭葉の左右どちら側の血流変化が多いかということで、左脳タイプと右脳タイプとに分類する。すなわち、左側の血流変化が右側の血流よりも多い人を左脳タイプ、右側の血流変化が左側の血流より多い人を右脳タイプと分類する。
なお、上記ストレスを与える方法は、暗算課題を与える方法に限らない。要するに、安静時よりも、脳血流が増加して、脳を活性化させられればよい。
【００１３】
上記脳血流の測定は、被検者の脳の皮質組織に存在する酸素化ヘモグロビン（Oxy-Hb）と脱酸素化ヘモグロビン（Deoxy-Hb）の変化を、近赤外線分光分析法を利用して計測することによって行った。具体的には、被検者の頭部に複数の光プローブを取り付け、各光プローブの先端から近赤外線を照射するとともに、その反射光を光プローブで受光するようにしている。上記光プローブ先端から発射した近赤外線は、脳の表面９（ｍｍ）程度の深さにまで透過し、血液中のヘモグロビンに吸収された後、その反射光を上記光プローブで受光して分析することにより、脳血流の状態を測定した。
【００１４】
このような反射光の分析によって脳の血流を測定できる原理を簡単に説明する。
脳の皮質組織に流れる血液は、血中の酸素量によって色が変わる。酸素ヘモグロビンは鮮紅色になり、５７５（ｎｍ）、５４０（ｎｍ）、４１５（ｎｍ）に、吸収極大をもつが、脱酸素ヘモグロビンは、５５５（ｎｍ）に吸収極大をもつ。すなわち、両者は吸収波長が異なるため、反射光の分光分析によって、両ヘモグロビン量を区別して測定することができる。
そして、上記酸素ヘモグロビン量が多いほど、計測部位の酸素代謝が大きいということであり、脳が活性化されていると判定できる。
【００１５】
その結果、上記暗算課題によって脳が活性化され血流量が増えるが、人によって、前頭葉の血流量に左右差があることが分かる。すなわち、左脳タイプと右脳タイプとに分類することができる。
上記左脳タイプの人の、前頭葉の血流は、図１のグラフに示すように、左側の酸素ヘモグロビン量が多くなり、右脳タイプの人の、前頭葉の血流は、図２のグラフに示すように、右側の酸素ヘモグロビン量が多くなっている。
このように、前頭葉の血流によって、左脳タイプと右脳タイプとに分類するようにしたのは、この脳タイプに異なる肌性格が対応することをデータから見出したからである。
【００１６】
従って、脳血流を測定して脳タイプを分類したら、それぞれの脳タイプに応じて肌性格を特定する。ここでは、左脳タイプには、ニキビができ難い肌性格を対応付け、右脳タイプにはニキビができ易い肌性格を対応付けている。すなわち、左脳タイプの人の肌性格はニキビができ難い肌性格、右脳タイプの人の肌性格はニキビができ易い肌性格と診断する。
これにより、ニキビができ易い肌性格かどうかということを、診断時にニキビができているか否かに関係なく特定できる。
【００１７】
次に、各脳タイプと肌性格との関係についての実験データを説明する。
上記のように、暗算課題を出題することによってストレスを与えた状態での脳血流を測定し、左右脳タイプを分類した被検者について、普段の皮脂量および皮膚のアクネ菌数を測定した。
上記皮脂量は、頬、額などの数箇所から採取した皮脂成分量の合計であり、その結果を図３に示す。図３に示すグラフのように、右脳タイプの人は、左脳タイプの人に比べて皮脂成分量が有意に多いことが分かった。つまり、左脳タイプの肌性格を皮脂成分の少ない肌性格とし、右脳タイプの肌性格を皮脂成分の多い肌性格と特定することができる。
【００１８】
また、上記アクネ菌とは、毛穴に棲息する菌で、ニキビの原因となる菌である。このアクネ菌の測定は、皮膚の特定箇所から採取した菌を定法に従い、嫌気条件下で３日間以上培養して行い、その測定結果を図４に示す。図４に示すグラフのように、右脳タイプの人の方が、左脳タイプの人と比べてアクネ菌数が有意に多いことが分かった。
以上のように、右脳タイプの人は、左脳タイプの人と比べて、皮脂量が多い肌性格であり、しかも、アクネ菌数も多いことから、ニキビができ易い肌性格であることが分かる。
上記のように、前頭葉の血流変化の左右差を測定すれば、その人が、ニキビができ易い肌性格かどうか診断することができる。
【００１９】
従来から、皮脂成分やアクネ菌数が多いと、ニキビができ易いことは知られているが、これらを正確に測定することは簡単ではない。例えば、化粧品店などの店頭で皮脂量などを正確に測定しようとすれば、測定条件を一定にするために、決められた手順で洗顔し、一定時間後に測定しなければならない。洗顔の仕方によって、データにばらつきが出てしまうことも考えられる。
また、店頭で洗顔をしなければならない測定は、化粧をしている被検者にとって、面倒な測定である。さらに、アクネ菌数の測定は、培養が必要であり、店頭ですぐに結果を出すことがきない。
これに対し、この発明の診断方法を用いれば、被検者は化粧を落とす必要もなく、その場で診断結果を得ることができるようになる。
【００２０】
なお、上記実施例では、左脳タイプと右脳タイプとを分類することによって、ニキビのでき易い肌性格かどうかを診断しているが、各脳タイプに、肌性格に関連する他のタイプを対応付けることもできる。
上記のように、左脳タイプ、右脳タイプという分類が、肌性格の分類に適用できることはデータで実証されるが、その理由は、次のように考えられる。
上記した近赤外線分光分析法を利用して、脳皮質組織の血流を測定する方法が確立し、脳の局所血流の変化を簡単に測定できるようになったため、脳の各機能部位の活動についての研究が盛んに行われるようになっている。その結果、脳の左半球の活動が右半球の活動より高い状態は、快適でポジティブな情動と関連し、反対に脳の右半球が左半球の活動より高い状態は、ネガティブな情動と関連することが明らかにされている。
【００２１】
つまり、この発明の左脳タイプの人が、右脳タイプの人よりもポジティブな性格であることが予測される。反対に、右脳タイプの人は、ネガティブな性格であり、例えば、ストレスを重く受け止め、緊張し易い性格であることが考えられる。
そこで、上記のように緊張し易い性格の右脳タイプを、情動性自律反応が大きいタイプとして分類することができ、反対に、左脳タイプを情動性自律反応が小さいタイプと分すりすることができる。
【００２２】
また、右脳タイプが、皮脂成分が多いタイプと分類できることは、図３のデータから明らかであるが、その理由は、次のように予想できる。右脳タイプ、すなわち、情動性自律反応が大きなタイプは、自律神経の緊張状態が多いタイプと考えられる。この自律神経の緊張が、自律神経の近くに位置する皮脂腺を刺激して皮脂成分がより多く分泌されると考えられる。
言い換えれば、上記左脳タイプは、安定した状態になり易く、右脳タイプは、緊張状態になり易いタイプであるが、リラックスした安定状態のときに、心身ともに健康で、肌の状態も良いことが分かっている。このことから、情動性自律反応の大小によって、すなわち、脳タイプによって、肌性格が異なることがいえる。そこで、脳タイプを特定すれば、肌性格を特定することができる。
【図面の簡単な説明】
【００２３】
【図１】左脳タイプの人の脳血流を示したグラフである。
【図２】右脳タイプの人の脳血流を示したグラフである。
【図３】脳血流の左右差と皮脂成分量との関係を示したグラフである。
【図４】脳血流の左右差とアクネ菌数との関係を示したグラフである。
【図１】
2006340763.tif 000003
【図２】
2006340763.tif 000004
【図３】
2006340763.tif 000005
【図４】
2006340763.tif 000006